(57)【要約】【課題】部品点数を少なく留めた上で、バスバー収容部と電線配索溝とを別々に閉鎖できる配線モジュールを得る。【解決手段】蓄電素子群１０の一面に装着される絶縁プロテクタ３０には、隣り合う電極端子を接続するバスバー２１が複数個一列に並んで収容され、当該絶縁プロテクタ３０におけるバスバー２１の並び方向に沿った両側縁部に寄った位置において２列に亘って設けられたバスバー収容部３２と、蓄電素子１１の状態を検知するべく蓄電素子１１から引き出された検知電線２６が配索され、各バスバー収容部３２の内側において２列に亘って設けられた電線配索溝４０と、が設けられているとともに、絶縁プロテクタ３０の各側縁部にはそれぞれ、近接した側のバスバー収容部３２を覆うバスバーカバー６０と、その内側の電線配索溝４０を覆う電線カバー５０とが、個別のバスバーカバー用ヒンジ６２と電線カバー用ヒンジ５８とにより独立して回動開閉可能に設けられている。【選択図】図２
2018014303.tif 000002
【特許請求の範囲】
【請求項１】
正極及び負極の電極端子を有する蓄電素子を複数個並べてなる蓄電素子群に取り付けられる配線モジュールであって、
前記蓄電素子群の一面に装着される絶縁プロテクタを有し、
前記絶縁プロテクタには、
隣り合う前記電極端子を接続するバスバーが複数個一列に並んで収容され、当該絶縁プロテクタにおける前記バスバーの並び方向に沿った両側縁部に寄った位置において２列に亘って設けられたバスバー収容部と、
前記蓄電素子の状態を検知するべく前記蓄電素子から引き出された検知電線が配索され、前記各バスバー収容部の内側において２列に亘って設けられた電線配索溝と、が設けられているとともに、
前記絶縁プロテクタの前記各側縁部にはそれぞれ、近接した側の前記バスバー収容部を覆うバスバーカバーと、その内側の前記電線配索溝を覆う電線カバーとが、個別のバスバーカバー用ヒンジと電線カバー用ヒンジとにより独立して回動開閉可能に設けられている配線モジュール。
【請求項２】
前記電線カバーは、前記電線配索溝を覆う帯板状の本体部の両端から前記絶縁プロテクタの前記側縁部に向けて一対の脚片が延出形成された門形状に形成され、前記両脚片の延出端に前記電線カバー用ヒンジが設けられているとともに、
前記バスバーカバーは、前記電線カバーの内側に嵌る平板状に形成され、当該バスバーカバーの側縁に前記バスバーカバー用ヒンジが設けられている請求項１に記載の配線モジュール。
【請求項３】
前記バスバーカバーが前記バスバーの前記並び方向において複数に分割され、各分割カバーごとに前記バスバーカバー用ヒンジが設けられているとともに、
前記電線カバーでは、前記バスバーカバーの分割部分に割って入るように前記本体部から補強脚が延出形成され、前記補強脚の延出端にも前記電線カバー用ヒンジが設けられている請求項２に記載の配線モジュール。
【発明の詳細な説明】
【技術分野】
【０００１】
本明細書によって開示される技術は、配線モジュールに関する。
【背景技術】
【０００２】
電気自動車やハイブリッド車等では、単電池を複数並べて接続した単電池群を備える電池モジュールが搭載されるが、電池モジュールの組み立てに当たっては、バスバーや電線群を備えた配線モジュールが利用されている。
配線モジュールの具体例としては、特開２０１６−９６４６号公報（下記特許文献１）に記載のものが知られている。このものは、単電池群の上面に装着される絶縁プロテクタを有し、同絶縁プロテクタの両側縁部に沿うようにして、バスバーが複数個一列に並んで収容されたバスバー収容部が、２列に亘って設けられるとともに、各バスバー収容部の内側に、単電池から引き出された検知電線が配索された電線配索溝が、同じく２列に亘って設けられた構造である。
【０００３】
上記のような配線モジュールは、単電池群に取り付けられた状態では、バスバー収容部と電線配索溝とはカバーで覆われることになるが、取付現場への搬送時に検知電線が電線配索溝からはみ出さないように、電線配索溝は先にカバーで覆っておきたい等の事情から、バスバー収容部と電線配索溝とでは、カバーが個別に開閉できることが望ましい。
そのため上記先行文献のものでは、絶縁プロテクタの両側縁部にそれぞれ、バスバー収容部を覆うバスバーカバーをヒンジを介して開閉可能に一体的に設ける一方、電線収容溝を覆う電線カバーを、バスバーカバーとは別体として備える手段を講じていた。
【先行技術文献】
【特許文献】
【０００４】
【特許文献１】特開２０１６−９６４６号公報
【発明の概要】
【発明が解決しようとする課題】
【０００５】
しかしながら上記従来手段では、バスバーカバーを別体として備えることから、部品点数が増えて構造も複雑化し、またカバーの閉鎖作業にも手間が掛かる嫌いがあるため、さらなる改良が切望されていた。
本明細書によって開示される技術は、上記のような事情に基づいて完成されたものである。
【課題を解決するための手段】
【０００６】
本明細書によって開示される技術は、正極及び負極の電極端子を有する蓄電素子を複数個並べてなる蓄電素子群に取り付けられる配線モジュールであって、前記蓄電素子群の一面に装着される絶縁プロテクタを有し、前記絶縁プロテクタには、隣り合う前記電極端子を接続するバスバーが複数個一列に並んで収容され、当該絶縁プロテクタにおける前記バスバーの並び方向に沿った両側縁部に寄った位置において２列に亘って設けられたバスバー収容部と、前記蓄電素子の状態を検知するべく前記蓄電素子から引き出された検知電線が配索され、前記各バスバー収容部の内側において２列に亘って設けられた電線配索溝と、が設けられているとともに、前記絶縁プロテクタの前記各側縁部にはそれぞれ、近接した側の前記バスバー収容部を覆うバスバーカバーと、その内側の前記電線配索溝を覆う電線カバーとが、個別のバスバーカバー用ヒンジと電線カバー用ヒンジとにより独立して回動開閉可能に設けられている構成である。
【０００７】
バスバー収容部はバスバーカバーにより、電線配索溝は電線カバーにより、それぞれ独立して開閉される。バスバーカバーと電線カバーとは共に、絶縁プロテクタに対してヒンジを介して回動可能に一体的に設けられているから、いずれかのカバーが別体として備えられている場合と比べ、部品点数が少なくて済んで構造も簡略化でき、また、カバーの閉鎖作業も簡単で、ひいては電池モジュールの組み立ても能率良く行うことができる。
【０００８】
また、以下のような構成としてもよい。
前記電線カバーは、前記電線配索溝を覆う帯板状の本体部の両端から前記絶縁プロテクタの前記側縁部に向けて一対の脚片が延出形成された門形状に形成され、前記両脚片の延出端に前記電線カバー用ヒンジが設けられているとともに、前記バスバーカバーは、前記電線カバーの内側に嵌る平板状に形成され、当該バスバーカバーの側縁に前記バスバーカバー用ヒンジが設けられている。
門形をなす電線カバーの内側にバスバーカバーが嵌って、概ね一枚の平板形状に形成されるから、構造がすっきりとまとまって、省スペース化に寄与し得る。  
【０００９】
前記バスバーカバーが前記バスバーの前記並び方向において複数に分割され、各分割カバーごとに前記バスバーカバー用ヒンジが設けられているとともに、前記電線カバーでは、前記バスバーカバーの分割部分に割って入るように前記本体部から補強脚が延出形成され、前記補強脚の延出端にも前記電線カバー用ヒンジが設けられている。
バスバーカバーを分割し、また電線カバーには補強脚を備えることで、両カバーの増強を図ることができる。
【発明の効果】
【００１０】
本明細書によって開示される技術によれば、部品点数を少なく留めた上で、バスバー収容部と電線配索溝とを個別のカバーで独立して開閉できる配線モジュールを提供することができる。
【図面の簡単な説明】
【００１１】
【図１】実施形態に係る配線モジュールのカバーの開放状態の斜視図
【図２】カバーが開放された状態の配線モジュールの平面図
【図３】カバーが開放された状態の配線モジュールの正面図
【図４】カバーが開放された状態の配線モジュールの拡大側面図
【図５】電線カバーが閉鎖された状態の配線モジュールの斜視図
【図６】電線カバーが閉鎖された状態の配線モジュールの平面図
【図７】電線カバーが閉鎖された状態の配線モジュールの拡大側面図
【図８】図６のVIII−VIII線拡大断面図
【図９】電線カバーとバスバーカバーが閉鎖された状態の配線モジュールの斜視図
【図１０】両カバーが閉鎖された状態の配線モジュールの平面図
【図１１】両カバーが閉鎖された状態の配線モジュールの拡大側面図
【図１２】図１０のXII−XII線拡大断面図
【発明を実施するための形態】
【００１２】
＜実施形態＞
実施形態を図１ないし図１２に基づいて説明する。本実施形態に係る電池モジュールＭは、電気自動車、ハイブリッド車等の車両（図示せず）に搭載されて、同車両を駆動するための電源として使用される。
電池モジュールＭは、図２に示すように、複数の単電池１１（蓄電素子の一例）を並べてなる単電池群１０（蓄電素子群の一例）を有し、この単電池群１０の上面に配線モジュール２０が装着された構造である。
以下では、図２における左右方向を左右方向、上下方向を前後方向として説明する。
【００１３】
単電池１１は扁平な略直方体形状をなしており、その上面に、図示しない正極および負極の一対の電極端子が突出形成され、単電池群１０の長さ方向に沿って２列に並んで設けられている。単電池１１は、隣り合う電極端子が異なる極性となるように配置されて単電池群１０を構成している。
【００１４】
配線モジュール２０は、単電池群１０の上面（電極面）に取り付けられるものであって、図１及び図２に示すように、隣り合う単電池１１の電極端子を接続する複数のバスバー２１と、バスバー２１に電気的に接続され、単電池１１の電圧を検知する電圧検知用の検知電線２６と、バスバー２１を収容するバスバー収容部３２と、検知電線２６を収容して一方向に向けて配索する電線配索溝４０を有する絶縁プロテクタ３０と、を備えて構成されている。
【００１５】
バスバー２１は、例えばアルミニウムまたはアルミニウム合金製の板材をプレス加工して、略長方形状に形成されている。バスバー２１には、単電池１１の電極端子と接続するための一対の貫通孔２２が形成されている。
検知電線２６は被覆電線からなり、検知電線２６の一端がバスバー２１の一方の長辺縁に設けられた電線接続部２３に接続されることにより、同検知電線２６の他端がバスバー２１の側方に引き出されるようになっている。
【００１６】
絶縁プロテクタ３０は合成樹脂製であって、全体としては、図２及び図３に示すように、単電池群１０の長さにほぼ匹敵する長さ寸法と、同単電池群１０の幅よりも少し短い幅寸法を有する左右方向に長い扁平な直方体状に形成されている。
絶縁プロテクタ３０における前縁と後縁とに寄った位置には、それぞれ複数個ずつのバスバー２１を一列に並べて収容するバスバー収容部３２が、互いに平行をなして２列に亘って形成されている。
【００１７】
バスバー収容部３２は詳細には、仕切壁３４を挟んで形成された上面開口の方形箱状をなす収容室３３が複数個列をなして配された構造であり、各収容室３３内の外側の領域にバスバー２１が収容されるようになっている。バスバー２１は、図示しない押さえ部により収容室３３の底板に弾性的に押さえられて保持されとともに、底板の開口（図示せず）を通して、バスバー２１の裏面が下面側に開放されるようになっている。
【００１８】
前後のバスバー収容部３２は、長さ方向の中央部において仕切部３６を介して左右に２分割されている。ここで、前側のバスバー収容部３２と後側のバスバー収容部３２とでは、収容室３３が半ピッチずれて配列されているから、後側のバスバー収容部３２では、中央長さ位置の収容室３３自体が分割され、両端の収容室３３Ｙは概ね半分が切除された構造となっている。
なお、後側のバスバー収容部３２において、両端の収容室３３Ｙの外側には、単電池１１の電極端子と外部機器（図示せず）とを接続する外部接続バスバー２４の装着部３７が設けられている。
【００１９】
前後のバスバー収容部３２の内側には、単電池１１の電圧を検知するべくバスバー２１から引き出された検知電線２６を一方向に向けて配索するための電線配索溝４０が、同じく平行をなして２列に亘って形成されている。
絶縁プロテクタ３０の左右の端縁には、それぞれ後側の電線配索溝４０から前側のバスバー収容部３２の形成領域に亘って、電線案内溝４２が直交姿勢をなして形成されており、電線案内溝４２の内側の側壁には、前後の電線配索溝４０の左右の端部にそれぞれ連通する入口４３が形成され、前端が出口４４とされている。この実施形態では、右側の電線案内溝４２が使用される。
【００２０】
図２に示すように、前後のバスバー収容部３２に収容されたバスバー２１からは、検知電線２６の他端が内側に向けて引き出され、側壁に設けられた差込溝４５（図１参照）に差し込まれつつ前または後の電線配索溝４０に挿入されたのち、各電線配索溝４０内を図２の右側に向けて配索される。各電線配索溝４０に配索された検知電線２６は、入口４３を通って直角曲げされつつ右側の電線案内溝４２内に揃って配索され、出口４４から手前側に導出される。導出された検知電線２６の他端にはコネクタが接続され、図示しないＥＣＵ等と接続されるようになっている。
前後の電線配索溝４０の間の位置には、左右方向に細長い溝状をなすロック溝部４７が形成されている。
【００２１】
次に、絶縁プロテクタ３０におけるカバー構造について説明する。
絶縁プロテクタ３０には、電線配索溝４０を覆うための電線カバー５０と、バスバー収容部３２を覆うためのバスバーカバー６０との組が、前後２組に分かれて設けられている。
【００２２】
電線カバー５０は、電線配索溝４０を覆う帯板状の本体部５１の左右の両端から、絶縁プロテクタ３０の前縁または後縁に向けて一対の脚片５２が延出形成された背の低い門形状に形成されている。左右の脚片５２の延出端には、連結部５４が互いに向き合ってＬ字形をなすようにして形成されている。また、本体部５１の中央長さ位置から補強脚５５が延出形成され、補強脚５５の延出端にも、両側に張り出してＴ字形をなすように連結部５６が形成されている。
【００２３】
前後の電線カバー５０の両脚片５２の連結部５４と、補強脚５５の連結部５６とは、図１に示すように、それぞれ絶縁プロテクタ３０の前縁または後縁に対して、第１ヒンジ５８（電線カバー用ヒンジに相当）を介して回動可能に連結されている。前後の電線カバー５０はそれぞれ、形成状態では、図１に示すように、絶縁プロテクタ３０の上面と平行姿勢をなして外側に開いた開放位置にあり、第１ヒンジ５８を中心として、絶縁プロテクタ３０の上面に重なるように１８０度回動されることで、本体部５１が電線配索溝４０を閉鎖する閉鎖位置に到るようになっている（図５参照）。
【００２４】
なお、前側の電線カバー５０Ｘは、閉鎖位置では、左右の脚片５２Ｘが、電線案内溝４２における前部領域の内壁の内側に嵌入可能となっている（図６参照）。また、電線案内溝４２の外壁には、電線案内溝４２の前部領域の残余部分を覆う第１補助電線カバー７０が、補助ヒンジ７１を介して回動開閉可能に設けられている。
一方、後側の電線カバー５０Ｙでは、左右の脚片５２Ｙに対し、電線案内溝４２の後部領域を覆う第２補助電線カバー７２と、外部接続バスバー２４を覆う補助バスバーカバー７４とが設けられている。
【００２５】
電線カバー５０を閉鎖位置にロックするロック構造について説明する。前後の電線カバー５０の本体部５１における外縁にはそれぞれ、複数個（図示１２個）の第１ロック片８０が、裏面側（図２では紙面の上方）に突出した姿勢で一定間隔を開けて形成されている。一方、上記したロック溝部４７における前壁と後壁のそれぞれの内面には、上記した前側または後側の電線カバー５０の第１ロック片８０をそれぞれ受けて係止する第１ロック受け部８１が対応して設けられている。
【００２６】
また、第１補助電線カバー７０の外縁には、２本の第１補助ロック片８２が設けられているとともに、前側の電線カバー５０Ｘの脚片５２Ｘには、第１補助ロック片８２を受けて係止する第１補助ロック受け部８３が設けられている。
後側の電線カバー５０Ｙの脚片５２Ｙに設けられた第２補助電線カバー７２の左右の側縁には、第２補助ロック片８４が設けられているとともに、電線案内溝４２の後部領域における内外の壁部の外面には、第２補助ロック片８４に嵌って係止する第２補助ロック受け部８５が設けられている。
【００２７】
次にバスバーカバー６０について説明する。バスバーカバー６０は、上記した各前後の電線カバー５０と組をなすように備えられ、前後において左右２枚ずつが備えられている。
左右のバスバーカバー６０Ｌ，６０Ｒは、電線カバー５０の内側に緊密に嵌る平板状をなし、それぞれ左側バスバー収容部３２Ｌと右側バスバー収容部３２Ｒとを覆うことが可能となっている。
【００２８】
前側の左右２枚のバスバーカバー６０Ｌ，６０Ｒと、後側の左右２枚のバスバーカバー６０Ｌ，６０Ｒとは、それぞれ内側の縁部が、絶縁プロテクタ３０の前縁または後縁に対して第２ヒンジ６２（バスバーカバー用ヒンジに相当）を介して回動可能に連結されている。言い換えると、左右２枚のバスバーカバー６０Ｌ，６０Ｒは、組をなす相手の電線カバー５０とは独立して回動可能に設けられている。左右のバスバーカバー６０Ｌ，６０Ｒについても、個別に回動可能となっている。
【００２９】
前後の組における左右のバスバーカバー６０Ｌ，６０Ｒはそれぞれ、形成状態では、図１及び図２に示すように、組をなす相手の電線カバー５０の内側に面一に嵌った形態において、絶縁プロテクタ３０の上面と平行姿勢をなす開放位置にあり、第２ヒンジ６２を中心として絶縁プロテクタ３０の上面に重なるように１８０度回動されることで、左側バスバー収容部３２Ｌまたは右側バスバー収容部３２Ｒを閉鎖する閉鎖位置に到るようになっている（図９参照）。
【００３０】
バスバーカバー６０を閉鎖位置にロックするロック構造は、以下のようである。前側または後側の左右２枚のバスバーカバー６０Ｌ，６０Ｒにおける外縁にはそれぞれ、複数個（図示６個）の第２ロック片８６が、裏面側（図２では紙面の上方）に突出した姿勢で一定間隔を開けて形成されている。一方、前側と後側における左右のバスバー収容部３２Ｌ，３２Ｒには、各収容室３３の内壁の内面に、上記した第２ロック片８６をそれぞれ受けて係止する第２ロック受け部８７が対応して設けられている。
【００３１】
続いて、本実施形態の配線モジュール２０を用いて電池モジュールＭを組み立てる手順の一例を説明する。
まず、配線モジュール２０を組み立てる。所定のバスバー２１を準備し、各バスバー２１の電線接続部２３に対して検知電線２６の一端を接続し、他端をバスバー２１の側方に引き出した状態とする。
【００３２】
次に、形成状態の絶縁プロテクタ３０が準備され、上記のように検知電線２６が引き出されたバスバー２１が、図２に示すように、前後のバスバー収容部３２における所定の収容室３３に収容されて保持される。前側のバスバー収容部３２に収容された各バスバー２１から引き出された検知電線２６は、前側の電線配索溝４０に導かれた後、その前側の電線配索溝４０内を同図の右側に向けて配索される。同じように、後側のバスバー収容部３２に収容された各バスバー２１から引き出された検知電線２６は、後側の電線配索溝４０に導かれた後、その後側の電線配索溝４０内を同図の右側に向けて配索される。前後の検知電線２６の束は、右側の電線案内溝４２に導かれて、一緒になって手前側に導出される。
【００３３】
このように、バスバー２１の収容と検知電線２６の配索とが完了したら、前後の電線カバー５０が閉じられる。開放位置にある前後の電線カバー５０は、それぞれ第１ヒンジ５８を中心として１８０度回動されて閉鎖位置に到ることにより、図５ないし図７に示すように、各本体部５１が、前側または後側の電線配索溝４０を覆う。このとき図８に示すように、電線カバー５０に設けられた第１ロック片８０が、ロック溝部４７に設けられた対応する第１ロック受け部８１に受けられて係止することで、前後の電線カバー５０が閉鎖位置にロックされる。
【００３４】
また、前側の電線カバー５０Ｘが閉鎖位置にロックされることに伴い、左右の脚片５２Ｘが電線案内溝４２の前部領域における内壁の内側に嵌った状態にあるから、引き続いて第１補助電線カバー７０を補助ヒンジ７１を中心に閉鎖位置に回動させると、第１補助ロック片８２が第１補助ロック受け部８３に受けられることにより、図５及び図６に示すように、第１補助電線カバー７０が電線案内溝４２の前部領域を覆った状態にロックされる。
【００３５】
一方、後側の電線カバー５０Ｙが閉鎖位置にロックされたときには、左右の脚片５２Ｙに設けられた第２補助電線カバー７２が、電線案内溝４２の後部領域を覆い、第２補助ロック片８４が第２補助ロック受け部８５に受けられることにより、第２補助電線カバー７２が閉鎖位置にロックされる。なお、上記と併せて、補助バスバーカバー７４が外部接続バスバー２４を覆った状態となる。
【００３６】
上記のように、前後の電線カバー５０並びに第１補助電線カバー７０を閉じることにより、検知電線２６が配索された前後の電線配索溝４０からそれに連通した右側の電線案内溝４２が、両電線カバー５０の本体部５１、並びに右側の第１補助電線カバー７０及び第２補助電線カバー７２で覆われ、電線配索溝４０や電線案内溝４２から配索された検知電線２６がはみ出すことが防止される。
【００３７】
配線モジュール２０は、上記のように前後の電線カバー５０並びに第１補助電線カバー７０を閉じた状態に組み立てられたのち、この状態で、電池モジュールＭの組み立て現場に搬入される。
搬入された配線モジュール２０は、図６に示すように、単電池群１０の上面に位置決めされて載置され、単電池１１の電極端子と対応するバスバー２１とが順次にナット等の締結具（図示せず）で締結されることによって、各単電池１１が直列接続されることになる。
【００３８】
このように単電池群１０に対する電気接続作業が完了したら、前側と後側の左右２枚ずつのバスバーカバー６０が閉じられる。開放位置にあるバスバーカバー６０Ｌ，６０Ｒは、それぞれ第２ヒンジ６２を中心として１８０度回動されて、図９ないし図１１に示すように、前側または後側の電線カバー５０の内側に緊密に嵌りつつ閉鎖位置に到り、対応するバスバー収容部３２Ｌ，３２Ｒを覆う。このとき図１２に示すように、バスバーカバー６０に設けられた第２ロック片８６が、バスバー収容部３２を構成する収容室３３に設けられた対応する第２ロック受け部８７に受けられて係止することにより、各バスバーカバー６０Ｌ，６０Ｒが対応するバスバー収容部３２Ｌ，３２Ｒを閉鎖した状態にロックされる。
これにより、前後のバスバー収容部３２に収容されたバスバー２１並びに締結具が、都合４枚のバスバーカバー６０で覆われて保護される。以上により、電池モジュールＭの組み立てが完了する。
【００３９】
本実施形態の配線モジュール２０では、バスバー収容部３２はバスバーカバー６０により、電線配索溝４０は電線カバー５０により、それぞれ独立して開閉される。そのため、配線モジュール２０を単電池群１０への取付現場に搬送するに当たり、検知電線２６が電線配索溝４０からはみ出さないように電線配索溝４０を先に電線カバー５０で閉鎖しておく、といった使い方ができ、使い勝手に優れたものとなる。
ここで、電線カバー５０とバスバーカバー６０とは共に、絶縁プロテクタ３０に対してヒンジ５８，６２を介して回動可能に一体的に設けられているから、いずれかのカバーが別体として備えられている場合と比べ、部品点数が少なくて済んで構造も簡略化でき、また、カバー５０，６０の閉鎖作業も簡単で、ひいては電池モジュールＭの組み立てを能率良く行うことができる。
【００４０】
電線カバー５０は、電線配索溝４０を覆う帯板状の本体部５１の両端から絶縁プロテクタ３０の側縁部に向けて一対の脚片５２が延出形成された門形状に形成され、両脚片５２の延出端に第１ヒンジ５８が設けられているとともに、バスバーカバー６０は、電線カバー５０の内側に嵌る平板状に形成され、当該バスバーカバー６０の側縁に第２ヒンジ６２が設けられた構造となっている。
すなわち、門形をなす電線カバー５０の内側にバスバーカバー６０が嵌って、概ね一枚の平板形状に形成されるから、構造がすっきりとまとまって、省スペース化に寄与し得る。
【００４１】
さらに、バスバーカバー６０が長さ方向において２枚に分割され、各分割されたバスバーカバー６０Ｌ，６０Ｒごとに第２ヒンジ６２が設けられているとともに、電線カバー５０では、バスバーカバー６０の分割部分に割って入るように本体部５１から補強脚５５が延出形成され、この補強脚５５の延出端にも第１ヒンジ５８が設けられた構造となっている。
バスバーカバー６０を２枚に分割し、また電線カバー５０には補強脚５５を備えることで、両カバー５０，６０の増強を図ることができる。接続する単電池１１が多い単電池群１０に適用してより有効となる。
【００４２】
＜他の実施形態＞
本明細書によって開示される技術は、上記記述及び図面によって説明した実施形態に限定されるものではなく、例えば次のような実施形態も技術的範囲に含まれる。
（１）上記実施形態では、バスバーカバーを２枚に分割した場合を例示したが、単電池の並列個数等の条件に応じて、単一枚であったり、逆に３枚以上に分割してもよい。
（２）電線カバー、バスバーカバーを閉鎖状態にロックするロック構造は、上記実施形態に例示したものに限らず、他の構造を採用することができる。
【００４３】
（３）上記実施形態では、検知電線をバスバーから引き出す構造として、バスバーに一体的に設けた電線接続部に検知電線の端末を直接に接続した構造を例示したが、その他、検知電線の端末に設けた検知端子をバスバー上に溶接して固定したものや、同検知端子を締結具の共締めにより固定したものであってもよい。
（４）上記実施形態では、検知電線として電圧検知電線を例示したが、その他、電流検知電線、温度検知電線等の他の検知電線であってもよい。
（５）上記実施形態では蓄電素子として単電池を例示したが、キャパシタであってもよい。
【符号の説明】
【００４４】
１０：単電池群（蓄電素子群）
１１：単電池（蓄電素子）
２０：配線モジュール
２１：バスバー
２６：検知電線
３０：絶縁プロテクタ
３２，３２Ｌ，３２Ｒ：バスバー収容部
４０：電線配索溝
５０，５０Ｘ，５０Ｙ：電線カバー
５１：本体部
５２：脚片
５５：補強脚
５８：第１ヒンジ（電線カバー用ヒンジ）
６０：バスバーカバー
６０Ｌ，６０Ｒ：バスバーカバー（分割カバー）
６２：第２ヒンジ（バスバーカバー用ヒンジ）
【図１】
2018014303.tif 000003
【図２】
2018014303.tif 000004
【図３】
2018014303.tif 000005
【図４】
2018014303.tif 000006
【図５】
2018014303.tif 000007
【図６】
2018014303.tif 000008
【図７】
2018014303.tif 000009
【図８】
2018014303.tif 000010
【図９】
2018014303.tif 000011
【図１０】
2018014303.tif 000012
【図１１】
2018014303.tif 000013
【図１２】
2018014303.tif 000014